(57)【特許請求の範囲】
【請求項１】
上端に開口部を有する加熱容器と、前記加熱容器に注水するための水受け容器と、水道水を前記水受け容器へ導く給水経路と、前記加熱容器で沸いた湯を外部へ導く出湯経路とを備え、前記水受け容器は、加熱容器の開口部を遮蔽するとともに、前記水受け容器の下方が前記加熱容器の内部に配置され、前記水受け容器の底部に、弁を有する筒状の開口部を設けた構成とした給湯装置。
【請求項２】
加熱容器外周に断熱部材を設け、前記断熱部材上端位置を水受け容器底面より上位に位置させてなる請求項１に記載の給湯装置。
【請求項３】
加熱容器内へ注水を行うための注水管を水受け容器に設け、この注水管に弁を設けてなる請求項１または２に記載の給湯装置。
【発明の詳細な説明】
【０００１】
【発明が属する技術分野】
本発明は、ジャーポット等の給湯装置に関するものであり、特に加熱容器への給水を自動的に行うと共に、加熱容器からの放熱を減少させ、主に保温時に必要なエネルギーを省力化することを目的としている。
【０００２】
【従来の技術】
図１５に従来技術を示す。１は水を貯め加熱する加熱容器で上端に開口部を有しており、その開口部は蓋２で遮蔽されている。３はシール部材で加熱容器１と蓋２との気密性を高めている。加熱容器１の底面には水を加熱するヒータ４が設けられている。５は出湯経路でポンプ６によって加熱容器１内の湯を外部へ導く働きをする。７は出湯経路５途中に設けられた出湯弁で、出湯流量を調整する。
【０００３】
この構成によれば、加熱容器１内への給水は蓋２を開けて手動で行う必要があり、給水の手間がかかる。また、給水を行う度に蓋２を開けるので、加熱容器１内の温度が低下し、湯を効率よく保温することが難しい。
【０００４】
【発明が解決しようとする課題】
前述のように、前記従来の給湯装置では、給水の手間を無くすことと、効率よく保温することが課題となっていた。
【０００５】
【課題を解決するための手段】
本発明は前記従来の課題を解決するもので、水道水を加熱容器に注水する水受け容器を設けると共に、前記水受け容器は、前記加熱容器の開口部を遮蔽するとともに、前記水受け容器の下方が前記加熱容器の内部に配置され、前記水受け容器の底部に、弁を有する筒状の開口部を設け、この水受け容器を加熱容器の保温に利用することで、給水の手間を無くすと共に、効率よく保温を行うことをできるようにするものである。
【０００６】
【発明の実施の形態】
請求項１に記載した発明は、上端に開口部を有する加熱容器と、前記加熱容器に注水する水受け容器と、水道水を前記水受け容器へ導く給水経路と、前記加熱容器で沸いた湯を外部へ導く出湯経路とを備え、前記水受け容器は、加熱容器の開口部を遮蔽するとともに、前記水受け容器の下方が前記加熱容器の内部に配置され、前記水受け容器の底部に、弁を有する筒状の開口部を設けた構成としたので、給水が手間をかけずに蓋を開けないで行え、また、簡単な構成で効率よく保温を行うことができるようになるものである。
【０００７】
また、特に、水受け容器下方を加熱容器内部に位置する構成としたので、簡単な構成で水受け容器の着脱の位置決めがし易くなると共に、水受け容器を小さくでき給湯装置全体の小型化が図れ、煮沸時の吹きこぼれも防止しやすくなるものである。
【０００８】
また、特に、水受け容器底部に、筒状の開口部を設けた構成としたので、簡単な構成で水受け容器から加熱容器への注水が円滑に行われると共に、効率よく保温できる給湯装置を実現できるものである。
【０００９】
また、特に、筒状の開口部に弁を設けた構成としたので、水受け容器から加熱容器への注水が効率よく行われると共に、加熱容器上方からの放熱がいっそう抑制され、効率よく保温できるようになるものである。
【００１０】
請求項２に記載した発明は、特に、加熱容器外周には断熱部材を設け、この断熱部材上端位置が、水受け容器底面より上位に位置する構成としたので、加熱容器側面からの放熱が抑制され、効率よく保温できるようになるものである。
【００１１】
請求項３に記載した発明は、特に、水受け容器には加熱容器内へ注水を行う注水管が設けられ、この注水管に弁を設けた構成としたので、注水管の内部を通しての放熱を抑制することが出来、保温をさらに効率よく行うことができるものである。
【００１２】
【実施例】
（実施例１）
以下本発明の第１の実施例について説明する。図１は本実施例の構成を示す説明図である。１は水を貯め加熱する加熱容器で上端に開口部を有しており、その開口部には加熱容器１に注水を行う水受け容器８が設けられている。９は注水管で加熱容器１内部の底部へ注水することで、湯の撹拌を抑制すると共に底部以外の湯の温度低下を防止している。１０は給水経路で、水受け容器８へ水道水を導く働きをし、１１は給水弁で水受け容器８への給水量を調節する。また１２は給水口で、給水される水の勢いを抑制し、水受け容器８への給水を円滑に行うよう作用する。ここで、給水口１２および水受け容器８は取り外しが可能なよう構成されている。
【００１３】
２は水受け容器の上部に設けられた蓋、１４は蓋２に設けられた蒸気逃がし口、４は加熱容器１の底面に設けられ水を加熱するためのヒータ、５は出湯経路で取水口１３から加熱容器１内の湯をポンプ６によって外部へ導く働きをする。また、７は出湯経路５途中に設けられた出湯弁で出湯流量を調整する。
【００１４】
以下、本実施例の動作について説明する。給水弁１１が開かれ、給水経路１０を通って導かれた水道水は水受け容器８に給水される。水受け容器８に所定の量が給水されると給水弁１１は閉じられ、水受け容器８への給水は停止される。水受け容器８に給水された水は注水管９を通って自然落下し、加熱容器１の底部へ静かに注水される。注水された水は、加熱容器１内部の湯に比べて比重が大きいため、湯をほとんど撹拌することなく加熱容器１底部に貯まる。注水された水はヒータ４によって加熱されるが、湯と水の比重差が大きいため湯と水は２層に分離した状態を保つので、加熱による対流は水の層内部にとどまり、湯と水が混合されることはない。また、１回当たりに水受け容器１に給水される給水量は、取水口１３上端と加熱容器１の底面との間に貯水され得る量以下に設定されているので、取水口１３から水がそのまま出湯されることはない。取水口１３よりポンプ６によって吸引された湯は、出湯経路５を通って出湯弁７によって流量調節されながら出湯される。非出湯時には、加熱容器１内で沸いた湯はヒータ４によって保温されるが、水受け容器８が加熱容器１の開口部を遮蔽しているので、水受け容器８に水がないとき水受け容器の上下の空気層はそれぞれ空気断熱層として作用し、加熱容器１の上方からの放熱が抑制される。
【００１５】
このように本発明によれば、給水の手間が省けるだけでなく、加熱容器からの放熱も抑制されるので、簡単な構成で効率よく保温を行うことができる給湯装置を実現できるものである。
【００１６】
（参考例１）
次に本発明の第１の参考例について説明する。本参考例の全体構成は実施例１と同様なので異なる部分についてのみ説明を行う。図２は水受け容器８を示すもので、その材質は樹脂から成っている。
【００１７】
このように本発明によれば、樹脂は一般に熱伝導率が低いので、加熱容器１の上方からの放熱の抑制をさらに強化でき、簡単な構成のまま効率よく保温を行うことができる。
【００１８】
（実施例２）
次に本発明の第２実施例について図３を用いて説明する。本実施例の全体構成は実施例１と同様なので異なる部分についてのみ説明を行う。図３に示すように、水受け容器８の下方が加熱容器１内部に位置するよう構成されている。従ってこの構成によれば簡単な構成で、水受け容器８着脱の際に位置決めがし易くなると共に、水受け容器を小さくでき給湯装置全体の小型化が図れる。また加熱容器１の側壁が高くできるので、煮沸時の吹きこぼれが防止しやすくなる。
【００１９】
このように本発明によれば、簡単な構成で水受け容器の着脱の位置決めがし易くなると共に、水受け容器を小さくでき給湯装置全体の小型化が図れるようになるり、煮沸時の吹きこぼれも防止しやすくなるものである。
【００２０】
（参考例２）
次に本発明の第２の参考例について図４を用いて説明する。本参考例の全体構成は実施例１と同様なので異なる部分についてのみ説明を行う。図４に示すように、水受け容器８の下方が加熱容器１内部に位置するよう構成されていると共に、水受け容器８の下方には加熱容器１との間にシール部材３が設けられている。従って、加熱容器１内部の気密性が高まると共に、水受け容器８と加熱容器１の隙間１５が空気層として断熱効果を発揮するようになり、効率よく保温が行えるようになる。
【００２１】
このように本発明によれば、加熱容器内部の気密性が高まると共に、水受け容器と加熱容器の隙間が空気層として断熱効果を発揮し、いっそう効率よく保温できる給湯装置が実現できるものである。
【００２２】
（参考例３）
次に本発明の第３の参考例について図５を用いて説明する。本参考例の全体構成は実施例１と同様なので異なる部分についてのみ説明を行う。図５に示すように、水受け容器８の下方には、シール部材３が固定されている。従って、シール部材の固定が簡単な構成で実現できるだけでなく、水受け容器８を取り外せば加熱容器１の清掃が容易に行えるようになる。また、参考例２と同様に保温も効率よく行える。
【００２３】
このように本発明によれば、シール部材の固定が容易に行えると共に、加熱容器内部の清掃が容易に行える給湯装置が実現できるものである。
【００２４】
（参考例４）
次に本発明の第４の参考例について図６を用いて説明する。本参考例の全体構成は実施例１と同様なので異なる部分についてのみ説明を行う。図６に示すように、水受け容器８の底部は断熱材料１６で構成されている。従って、加熱容器１の上方からの放熱がいっそう抑制され、効率よく保温できる。
【００２５】
このように本発明によれば、加熱容器上方からの放熱がいっそう抑制され、効率よく保温できる給湯装置を実現できるものである。
【００２６】
（参考例５）
次に本発明の第５の参考例について図７を用いて説明する。本参考例の全体構成は実施例１と同様なので異なる部分についてのみ説明を行う。図７に示すように、水受け容器８の底部には空気層１７が内包されており、断熱効果を有する構成となっている。従って、加熱容器１上方からの放熱を抑制することができ、効率よく保温することができる。図８は本発明による別の実施例を示したものである。水受け容器８は、上部材１８と下部材１９との間にシール部材３を挟んだ構成になっており、空気層１７は上部材１８とした部材１９との間に形成されている。この構成であれば、特別な断熱性材料を使う必要がなく、安価で、簡単に断熱構造とすることができ、加熱容器１の上方からの放熱が抑制され、効率よく保温できる。
【００２７】
このように本発明によれば、安価で、簡単に断熱構造とすることができ、効率よく保温できる給湯装置を実現できるものである。
【００２８】
（参考例６）
次に本発明の第６の参考例について図９を用いて説明する。本参考例の全体構成は実施例１と同様なので異なる部分についてのみ説明を行う。図９に示すように、水受け容器８の底部には複数の空気層１７が内包されており、いっそう断熱効果を高めた構成となっている。従って、加熱容器１上方からの放熱はさらに抑制され、効率よく保温を行うことができる。図１０は本発明による別の参考例を示したものである。水受け容器８は、上部材１８と複数の下部材１９を重ね合わせることで複数の空気層を形成している。図９や図１０に示すような構成であれば、特別な断熱性材料を使う必要がなく、簡単な構造で高い断熱構造とすることができ、加熱容器１の保温を効率よく行うことができる。
【００２９】
このように本発明によれば、簡単な構造で高い断熱構造とすることができ、効率よく保温できる給湯装置を実現できるものである。
【００３０】
（実施例３）
次に本発明の第３と第４の実施例について図１１を用いて説明する。図１１に示すように、水受け容器８の底部には、筒状開口部２０が設けられており、水受け容器８の内側と外側とを結ぶ通気口として作用する。
【００３１】
以下本実施例の動作について説明する。給水弁１１が開かれ、給水経路１０を通って導かれた水道水は水受け容器８に給水される。水受け容器８に所定の量が給水されると給水弁１１は閉じられ、水受け容器８への給水は停止される。このとき筒状開口部２０の先端は水受け容器８内の水面より上位にあり、筒状開口部２０からは加熱容器１内へ注水は行われない。水受け容器８に給水された水は注水管９を通って自然落下し、加熱容器１の底部へ静かに注水される。ここで、筒状開口部２０によって加熱容器１内部の空気溜まり２１は上方に貫通されており、水受け容器８から加熱容器１への注水を円滑に行わせる作用を持つ。すなわち筒状開口部２０が無い場合、図１に示すように、水受け容器８から加熱容器８へ注水が行われると加熱容器１内の水面が上昇し、それに伴って空気溜まり２１が圧縮作用を受け、空気溜まり２１の圧力が上昇して、水受け容器８から加熱容器８へ注水が円滑に行われにくくなってしまう。
【００３２】
例えば図１において、水受け容器８と加熱容器１との間の気密性が極めて高かったり、空気溜まり２１が小さすぎたりすると、水受け容器８内の水は加熱容器１内へ全てが注水しきれずに水受け容器１内に水が残留したままになってしまうのである。こうなると加熱容器１を上方で水冷するようなものであり、加熱容器１内の上方からの放熱を促進してしまう結果になりかねない。
【００３３】
しかしながら図１１のように、筒状開口部２０を設けることで空気溜まり２１の圧力上昇が無くなり、水受け容器８の水を全て加熱容器１内へ注水することで水受け容器８内に水が残留しない。従って、水が残留する場合に比べ加熱容器１内の上方からの放熱を少なくすることができる。
【００３４】
このように本発明によれば、水受け容器から加熱容器への注水が円滑に行われると共に、効率よく保温できる給湯装置を実現できるものである。
【００３５】
（実施例４）
次に本発明の第４の実施例について図１２を用いて説明する。本実施例の全体構成は実施例３と同様なので異なる部分についてのみ説明を行う。図１２に示すように、水受け容器８の底部には筒状開口部１９が設けられ、さらに筒状開口部２０には弁２２が設けられている。この弁は弾力性のあるシート部材から成り、通常は閉じており、空気溜まり２１の圧力が上昇したときにのみ開くよう設定されている。すなわち、水受け容器８から加熱容器１内へ注水が行われているとき、茎溜まり２１の圧力は上昇しようとするが弁２２が開くので圧力は上昇せず、注水が円滑に行われる。従って水受け容器８内部には水が残留しない。一方、水受け容器８から加熱容器１内への注水が完了すると、空気溜まり２１の圧力は安定するので弁２２は閉じる。その結果、空気溜まり２１は外気と貫通せず閉空間となるので加熱容器１の上方からの放熱が効率よく抑制され、保温が効率よく行われるのである。
【００３６】
このように本発明によれば、水受け容器から加熱容器への注水が効率よく行われると共に、加熱容器上方からの放熱がいっそう抑制され、効率よく保温できる給湯装置を実現できるものである。
【００３７】
（実施例５）
次に本発明の第５の実施例について図１３［Ａ］および図１３［Ｂ］を用いて説明する。本実施例の全体構成は他の実施例と同様なので異なる部分についてのみ説明を行う。図１３［Ａ］に示すように、２３は断熱部材で加熱容器１の外周に設けられている。断熱部材２３の上端は水受け容器８の底面より上位に位置しており、双方が重なり合う部分ｈ＞０となる。
【００３８】
一方図１３［Ｂ］では、断熱部材２３の上端は水受け容器８の底面より下位に位置しており、双方の重なり合う部分ｈ＜０となっている。［Ａ］、［Ｂ］共に２４は加熱容器１を本体に固定するための固定部材であり、これについては特別な断熱作用は持っていない。断熱部材２３は可能な限り加熱容器１外周全てを覆うように取り付けられるが、固定部材２４の高さ方向の厚みや、水受け容器８の底の深さなどの設定によって、［Ａ］や［Ｂ］のような違いができてしまうことがあり得る。［Ｂ］において、加熱容器１のｈ＜０に相当する部分は、空気溜まり２１が固定部材２４と加熱容器１側壁を介して隣り合うことになり、ここから放熱が促進される。
【００３９】
しかしながら、［Ａ］では空気溜まり２１が加熱容器１側壁を介して隣り合うのは断熱部材２３なので、ここからの放熱は生じにくい。従って、［Ａ］のように、断熱部材２３の上端を水受け容器８の底面より上位に位置させることで、加熱容器１内での放熱は抑制され、保温を効率よく行うことができるようになる。
【００４０】
このように本発明によれば、加熱容器側面からの放熱が効果的に抑制されるので、加熱容器内部の湯の保温が効率よく行える給湯装置を実現できるものである。
【００４１】
（実施例６）
次に本発明の第６の実施例について図１４を用いて説明する。本実施例の全体構成は実施例１と同様なので異なる部分についてのみ説明を行う。図１４に示すように、水受け容器８には加熱容器１へ注水を行う注水管９が設けられている。この注水管９の途中には弁２５が設けられており、この弁２５は弾力性を有するシート部材から成っている。この弁は通常閉じており、水受け容器８に給水された水の重量で下方向へ開き、注水が行われるよう設定されている。従って、注水が終わった後は、弁２５は閉じており、注水管９の内部を通しての放熱が抑制される。
【００４２】
このように本発明によれば、注水管９の内部を通しての放熱を抑制することが出来るので、保温をさらに効率よく行うことができるものである。
【００４３】
【発明の効果】
以上のように、請求項１に記載した発明によれば、給水が手間をかけずに蓋を開けないで行え、また、簡単な構成で効率よく保温を行うことができる給湯装置を実現できるものである。
【００４４】
また、簡単な構成で水受け容器の着脱が行いやすくなると共に、水受け容器を小さくでき給湯装置全体の小型化が図れ、煮沸時の吹きこぼれも防止しやすい給湯装置を実現できるものである。
【００４５】
また、水受け容器から加熱容器への注水が円滑に行われると共に、効率よく保温できる給湯装置を実現できるものである。
【００４６】
また、水受け容器から加熱容器への注水が効率よく行われると共に、加熱容器上方からの放熱がいっそう抑制され、効率よく保温できる給湯装置を実現できるものである。
【００４７】
また、請求項２に記載した発明によれば、加熱容器側面からの放熱が抑制され、効率よく保温できる給湯装置を実現できるものである。
【００４８】
また、請求項３に記載した発明によれば、注水管の内部を通しての放熱を抑制することが出来、保温をさらに効率よく行うことができる給湯装置を実現できるものである。
【図面の簡単な説明】
【図１】  本発明の第１の実施例である給湯装置の全体構成を示す模式図
【図２】  本発明の第１の参考実施例である給湯装置の水受け容器を示す模式図
【図３】  本発明の第２の実施例である給湯装置の全体構成を示す模式図
【図４】  本発明の第２の参考例である給湯装置の全体構成を示す模式図
【図５】  本発明の第３の参考例である給湯装置の水受け容器を示す模式図
【図６】  本発明の第４の参考例である給湯装置の水受け容器を示す模式図
【図７】  本発明の第５の参考例を示す給湯装置の水受け容器を示す模式図
【図８】  同給湯装置の他の水受け容器を示す模式図
【図９】  本発明の第６の参考例である給湯装置の水受け容器を示す模式図
【図１０】  同給湯装置の他の水受け容器を示す模式図
【図１１】  本発明の第３、４の実施例である給湯装置の全体構成を示す模式図
【図１２】  本発明の第４の実施例である給湯装置の全体構成を示す模式図
【図１３】  本発明の第５の実施例に関する給湯装置の全体構成を示す模式図
【図１４】  本発明の第６の実施例である給湯装置の水受け容器を示す模式図
【図１５】  従来の給湯装置の構成を示す模式図
【符号の説明】
１  加熱容器
２  蓋
３  シール部材
４  ヒータ
５  出湯経路
６  ポンプ
７  出湯弁
８  水受け容器
９  注水管
１０  給水経路
１１  給水弁
１２  給水口
１３  取水口
１４  蒸気逃がし口
１５  隙間
１６  断熱材料
１７  空気層
１８  上部材
１９  下部材
２０  筒状開口部
２１  空気溜まり
２２、２５  弁
２３  断熱部材
２４  固定部材
【図１】
0004195957.tif 000002
【図２】
0004195957.tif 000003
【図３】
0004195957.tif 000004
【図４】
0004195957.tif 000005
【図５】
0004195957.tif 000006
【図６】
0004195957.tif 000007
【図７】
0004195957.tif 000008
【図８】
0004195957.tif 000009
【図９】
0004195957.tif 000010
【図１０】
0004195957.tif 000011
【図１１】
0004195957.tif 000012
【図１２】
0004195957.tif 000013
【図１３】
0004195957.tif 000014
【図１４】
0004195957.tif 000015
【図１５】
0004195957.tif 000016